(57)【要約】【課題】複数種の放送方式それぞれに対応する映像データを十分に高画質で表示可能な電子機器を実現する。【解決手段】受信ユニット２０１は、複数種のＴＶ放送システム（例えば、ＮＴＳＣ−Ｍ／Ｍ、ＰＡＬ−／Ｉ、ＰＡＬ−Ｂ／Ｇ、ＳＥＣＡＭ−Ｌ／Ｌ’、ＰＡＬ−Ｄ／Ｄなど）をサポートしている。受信ユニット２０１は、受信した映像データ（ＴＶ放送信号、外部機器からのビデオデータなど）を高画質化するための映像信号処理として、例えば、ゴーストリダクション処理、３次元Ｙ／Ｃ分離処理、２次元Ｙ／Ｃ分離処理、１次元Ｙ／Ｃ分離処理、３次元ノイズリダクション処理、等を実行する機能を有している。実行すべき映像信号処理の内容は、受信した映像データのＴＶ放送方式の種類に応じて決定される。これにより、受信した映像データのＴＶ放送方式の種類に最適な映像信号処理が実行される。【選択図】      図３
2006033739.tif 000002
【特許請求の範囲】
【請求項１】
表示装置に映像データを表示可能な電子機器において、
複数種の放送方式の一つに対応する映像データを外部から受信する受信手段と、
前記受信手段からの前記映像データを受信するように前記受信手段に結合され、前記映像データの放送方式の種類に対応する映像信号処理を前記映像データに対して実行する映像信号処理手段とを具備することを特徴とする電子機器。
【請求項２】
前記映像信号処理手段は、３次元輝度（Ｙ）／色（Ｃ）分離処理、２次元輝度（Ｙ）／色（Ｃ）分離処理、および一次元２次元輝度（Ｙ）／色（Ｃ）分離処理の中で、前記映像データの放送方式の種類に対応する一つの処理を、前記映像データの放送方式の種類に対応する映像信号処理として実行する手段を含むことを特徴とする請求項１記載の電子機器。
【請求項３】
前記映像信号処理手段は、３次元ノイズリダクション処理および色歪み補正処理の中で、前記映像データの放送方式の種類に対応する一つの処理を、前記映像データの放送方式の種類に対応する映像信号処理として実行する手段を含むことを特徴とする請求項１記載の電子機器。
【請求項４】
前記映像信号処理手段は、前記映像データの放送方式の種類が特定の放送方式の種類である場合、ゴーストリダクション処理を前記映像データの放送方式の種類に対応する映像信号処理として実行し、前記映像データの放送方式の種類が前記特定の放送方式の種類と異なる場合、前記ゴーストリダクション処理の実行を禁止する手段を含むことを特徴とする請求項１記載の電子機器。
【請求項５】
前記受信手段は、映像データを搬送するＴＶ放送信号を受信するＴＶチューナを含むことを特徴とする請求項１記載の電子機器。
【請求項６】
前記受信手段は、映像データを搬送するＴＶ放送信号を受信するＴＶチューナと、映像データを外部機器から入力するビデオ入力ポートとを含み、
前記映像データの放送方式の種類と、前記映像データが前記ＴＶチューナおよび前記ビデオ入力ポートのいずれの入力ソースから入力されたものであるかを示す情報とに基づいて、前記映像信号処理手段によって実行されるべき映像信号処理の種類を決定する手段をさらに具備することを特徴とする請求項１記載の電子機器。
【請求項７】
電子機器の表示装置に表示すべき映像データを受信する映像データ受信方法であって、
複数種の放送方式の一つに対応する映像データを外部から受信するステップと、
前記受信された映像データの放送方式の種類を検出するステップと、
前記検出された放送方式の種類に対応する映像信号処理を前記受信された映像データに対して実行する映像信号処理ステップとを具備することを特徴とする映像データ受信方法。
【請求項８】
前記映像信号処理ステップは、３次元輝度（Ｙ）／色（Ｃ）分離処理、２次元輝度（Ｙ）／色（Ｃ）分離処理、および一次元２次元輝度（Ｙ）／色（Ｃ）分離処理の中で、前記映像データの放送方式の種類に対応する一つの処理を、前記映像データの放送方式の種類に対応する映像信号処理として実行するステップを含むことを特徴とする請求項７記載の映像データ受信方法。
【請求項９】
前記映像信号処理ステップは、３次元ノイズリダクション処理および色歪み補正処理の中で、前記映像データの放送方式の種類に対応する一つの処理を、前記映像データの放送方式の種類に対応する映像信号処理として実行するステップを含むことを特徴とする請求項７記載の映像データ受信方法。
【請求項１０】
前記映像信号処理ステップは、前記映像データの放送方式の種類が特定の放送方式の種類である場合、ゴーストリダクション処理を前記映像データの放送方式の種類に対応する映像信号処理として実行するステップと、前記映像データの放送方式の種類が前記特定の放送方式の種類と異なる場合、前記ゴーストリダクション処理の実行を禁止するステップとを含むことを特徴とする請求項７記載の映像データ受信方法。
【請求項１１】
複数種の放送方式の一つに対応する映像データを外部から受信する受信手段と、
前記受信手段からの前記映像データを受信するように前記受信手段に結合され、前記映像データの放送方式の種類に対応する映像信号処理を前記映像データに対して実行する映像信号処理手段とを具備することを特徴とする映像データ受信装置。
【請求項１２】
前記映像信号処理手段は、３次元輝度（Ｙ）／色（Ｃ）分離処理、２次元輝度（Ｙ）／色（Ｃ）分離処理、および一次元２次元輝度（Ｙ）／色（Ｃ）分離処理の中で、前記映像データの放送方式の種類に対応する一つの処理を、前記映像データの放送方式の種類に対応する映像信号処理として実行する手段を含むことを特徴とする請求項１１記載の映像データ受信装置。
【請求項１３】
前記映像信号処理手段は、３次元ノイズリダクション処理および色歪み補正処理の中で、前記映像データの放送方式の種類に対応する一つの処理を、前記映像データの放送方式の種類に対応する映像信号処理として実行する手段を含むことを特徴とする請求項１１記載の映像データ受信装置。
【請求項１４】
前記映像信号処理手段は、前記映像データの放送方式の種類が特定の放送方式の種類である場合、ゴーストリダクション処理を前記映像データの放送方式の種類に対応する映像信号処理として実行し、前記映像データの放送方式の種類が前記特定の放送方式の種類と異なる場合、前記ゴーストリダクション処理の実行を禁止する手段を含むことを特徴とする請求項１１記載の映像データ受信装置。
【発明の詳細な説明】
【技術分野】
【０００１】
本発明はパーソナルコンピュータのような電子機器および同電子機器で用いられる映像データ受信方法および映像データ受信装置に関する。
【背景技術】
【０００２】
近年、パーソナルコンピュータにおいては、オーディオ・ビデオ（ＡＶ）機能の向上を図るために、ＴＶ放送信号を受信するためのＴＶチューナの搭載が進められている。
【０００３】
ＴＶチューナによって得られる映像データを十分に高画質で表示するためには、その受信された映像データを高画質化するための映像信号処理を実行する機能が必要となる。この映像信号処理は、例えば、輝度（Ｙ）／色（Ｃ）分離処理、ゴーストリダクション処理などである。
【０００４】
特許文献１には、世界各国で使用できるＴＶチューナが開示されている。このＴＶチューナは、様々なＴＶ放送方式に対応するＴＶ放送信号を正しく受信することができる。
【特許文献１】米国特許第６，３４０，９９７号明細書
【発明の開示】
【発明が解決しようとする課題】
【０００５】
しかし、特許文献１においては、受信したＴＶ放送信号に対してどのような映像信号処理を施すかについては記載されていない。世界各国で使用できるＴＶチューナを搭載した電子機器においては、どの国で使用する場合においても、映像データを十分に高画質で表示できるようにするための機能が必要である。
【０００６】
本発明は上述の事情を考慮してなされたものであり、複数種の放送方式それぞれに対応する映像データを十分に高画質で表示することが可能な電子機器および映像データ受信装置を提供することを目的とする。
【課題を解決するための手段】
【０００７】
上述の課題を解決するため、本発明は、表示装置に映像データを表示可能な電子機器において、複数種の放送方式の一つに対応する映像データを外部から受信する受信手段と、前記受信手段からの前記映像データを受信するように前記受信手段に結合され、前記映像データの放送方式の種類に対応する映像信号処理を前記映像データに対して実行する映像信号処理手段とを具備することを特徴とする。
【発明の効果】
【０００８】
本発明によれば、複数種の放送方式それぞれに対応する映像データを十分に高画質で表示することが可能となる。
【発明を実施するための最良の形態】
【０００９】
以下、図面を参照して、本発明の実施形態を説明する。  
まず、図１および図２を参照して、本発明の一実施形態に係る電子機器の構成について説明する。この電子機器は、例えば、ノートブック型パーソナルコンピュータ１０のような情報処理装置として実現されている。
【００１０】
図１はノートブック型パーソナルコンピュータ１０のディスプレイユニットを開いた状態における正面図である。本コンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。
【００１１】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１を電源オン／オフするためのパワーボタン１４、入力操作パネル１５、およびタッチパッド１６などが配置されている。
【００１２】
入力操作パネル１５は、押されたボタンに対応するイベントを入力する入力装置であり、複数の機能をそれぞれ起動するための複数のボタンを備えている。これらボタン群には、ＴＶ起動ボタン１５Ａ、チャンネル切替えボタン１５Ｂも含まれている。ＴＶ起動ボタン１５Ａは、オペレーティングシステムを起動せずに、ＴＶ放送番組データの受信および再生を行うためのボタンである。チャンネル切替えボタン１５Ｂは、視聴／記録すべきＴＶ放送番組データのチャンネルを選択するためのボタンである。チャンネル切替えボタン１５Ｂがユーザによって押下される度に、視聴／記録すべきＴＶ放送番組データのチャンネルが順番に切り替えられる。
【００１３】
コンピュータ本体１１の側面には、ＡＶ（オーディオ・ビデオ）コネクタセット１８およびＴＶアンテナコネクタ１９とが設けられている。ＴＶアンテナコネクタ１９には、ＴＶアンテナケーブルが接続される。ＡＶ（オーディオ・ビデオ）コネクタセット１８は、外部機器からＡＶデータを入力するためのコネクタ群であり、コンポジットビデオ入力コネクタ１８Ａ、Ｓビデオ入力コネクタ１８Ｂ、および２つのオーディオ入力コネクタ（オーディオ−Ｌ、オーディオ−Ｒ）１８Ｃを含む。
【００１４】
次に、図２を参照して、本コンピュータ１０のシステム構成について説明する。
【００１５】
本コンピュータ１０は、図２に示されているように、ＣＰＵ１１１、ノースブリッジ１１２、主メモリ１１３、グラフィクスコントローラ１１４、高画質化エンジン（ＨＶＥ；High quality Video Engine）１１５、スイッチ１１８、サウスブリッジ１１９、ＢＩＯＳ−ＲＯＭ１２０、ハードディスクドライブ（ＨＤＤ）１２１、光ディスクドライブ（ＯＤＤ）１２２、ＴＶチューナ・キャプチャユニット１２３、エンベデッドコントローラ／キーボードコントローラＩＣ（ＥＣ／ＫＢＣ）１２４、ビデオコントロールマイコン１２５、データバッファ（ＳＹＳ  ＢＵＦ）１２６、およびバススイッチ（ＢＵＳ  ＳＷ）１２７等を備えている。
【００１６】
ＣＰＵ１１１は本コンピュータ１０の動作を制御するために設けられたプロセッサであり、ハードディスクドライブ（ＨＤＤ）１２１から主メモリ１１３にロードされる、オペレーティングシステム（ＯＳ）および各種アプリケーションプログラムを実行する。ＯＳは、複数のウィンドウを表示画面上に表示するためのウィンドウシステムを有している。
【００１７】
映像データ（例えば、ＴＶ放送番組データ、外部機器から入力されたビデオデータなど）は、通常、ＴＶアプリケーションプログラムに対応するウィンドウ内に表示される。この場合、例えば、ＴＶアプリケーションプログラムに対応するウィンドウはデスクトップ画面上に配置され、そのウィンドウ内に映像データが表示される（ウィンドウモード）。また、本コンピュータ１０は、映像データをＬＣＤ１７の表示画面上にフルスクリーンモードで表示することもできる。このフルスクリーンモードにおいては、映像データだけが表示画面上のほぼ全エリアに表示される。
【００１８】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００１９】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２０】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）を有しており、ＯＳ／アプリケーションプログラムを実行するＣＰＵ１１１によってビデオメモリ（ＶＲＡＭ）に書き込まれた表示データから、ＬＣＤ１７に表示可能な映像信号を生成する。また、グラフィクスコントローラ１１４は、外部ＣＲＴ（Cathode Ray Tube）へアナログ映像信号を出力するためのインタフェース、およびアナログ映像信号をＳビデオ出力コネクタを介して外部に出力するためのインタフェースも有している。
【００２１】
高画質化エンジン（ＨＶＥ）１１５は、映像データを入力する入力ポート１１５Ａを有している。高画質化エンジン（ＨＶＥ）１１５は、入力ポート１１５Ａに入力された映像データを高画質化するための映像処理（以下、画質補正処理という）を実行する映像処理コントローラである。この画質補正処理は動画を高画質化するための動画像専用の映像処理であり、滑らかで高画質の動画像をＬＣＤ１７に表示するために実行される。この画質補正処理では、動画像の画質を改善するために、例えば、色補正（ガンマ補正、ホワイトバランス調整、ブライトネス調整、コントラスト調整）、シャープネス調整、輪郭強調（エッジエンハンスメント）、およびＬＣＤの応答速度を向上させるための処理等が行われる。
【００２２】
スイッチ１１８は、グラフィクスコントローラ１１４によって生成される映像信号および高画質化エンジン（ＨＶＥ）１１５によって生成される映像信号の一方を選択的にＬＣＤ１７に出力するセレクタとして機能する。このスイッチ１１８は、例えばＥＣ／ＫＢＣ１２４またはビデオコントロールマイコン１２５等から供給されるスイッチ制御信号ＳＷに応じて、ＬＣＤ１７に送出されるべき映像信号を、グラフィクスコントローラ１１４によって生成される映像信号と高画質化エンジン（ＨＶＥ）１１５によって生成される映像信号との間で切り替える。
【００２３】
サウスブリッジ１１９は、ＬＰＣ（Low Pin Count）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、ＢＩＯＳ−ＲＯＭ１２０をアクセス制御するための機能、およびＰＣＩ（Peripheral Component Interconnect）バス２０上の各デバイスを制御する機能を有している。ＰＣＩバス２０には、ＴＶチューナ・キャプチャユニット１２３が接続されている。
【００２４】
ＴＶチューナ・キャプチャユニット１２３は、バスコネクタ３０を介してＰＣＩバス２０に接続されている。バスコネクタ３０は、例えば、Mini PCIコネクタから構成されている。ＴＶチューナ・キャプチャユニット１２３は、例えばＴＶチューナ・キャプチャドライバの制御の下、外部からの映像データ（ＴＶ放送信号、外部機器からのビデオデータなど）を受信する映像データ受信装置である。ＴＶチューナ・キャプチャドライバは、ＴＶチューナ・キャプチャユニット１２３を制御する制御プログラムである。ＴＶチューナ・キャプチャユニット１２３は、映像データを受信し、その受信した映像データをＰＣＩバス２０上に出力する。この場合、受信した映像データはＴＶチューナ・キャプチャユニット１２３内で例えばＭＰＥＧ２（MPEG: Moving Picture Coding Experts Group）のような圧縮符号化方式で圧縮符号化され後にＰＣＩバス２０上に出力される。圧縮符号化された映像データは、ＴＶアプリケーションプログラムによってデコードされた後にＬＣＤ１７に表示される。
【００２５】
また、ＴＶチューナ・キャプチャユニット１２３は、受信した映像データをＰＣＩバス２０を介さずに高画質化エンジン（ＨＶＥ；High quality Video Engine）１１５に直接的に伝送する機能も有している。すなわち、高画質化エンジン（ＨＶＥ）１１５の入力ポートとＴＶチューナ・キャプチャユニット１２３との間には、映像データ伝送パス２１が配置されている。映像データ伝送パス２１はＡＶデータ転送用の複数の信号線から構成されている。ＴＶチューナ・キャプチャユニット１２３は、受信した映像データを映像データ伝送パス２１を介して高画質化エンジン（ＨＶＥ）１１５に伝送する。映像データ伝送パス２１上に流れる映像データは、圧縮符号化されていない高画質の生映像データ（ＲＡＷビデオデータ）である。映像データ伝送パス２１内にはデータバッファ１２６が挿入されている。ＲＡＷビデオデータは、データバッファ１２６を介して高画質化エンジン（ＨＶＥ）１１５に入力される。
【００２６】
また、ＴＶチューナ・キャプチャユニット１２３は、ビデオコントロールマイコン１２５との通信を実行するために、バススイッチ１２７を介してシリアルバス（Ｉ２Ｃバス）にも接続されている。Ｉ２Ｃバスは、ビデオコントロールマイコン１２５からＴＶチューナ・キャプチャユニット１２３に各種コマンドを伝送するための制御線として使用される。ＴＶチューナ・キャプチャユニット１２３は、ＰＣＩバス２０を介してＣＰＵ１１１から供給されるコマンドを受信するだけでなく、Ｉ２Ｃバスを介してビデオコントロールマイコン１２５から供給されるコマンドも受信することが出来る。
【００２７】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０をパワーオン／パワーオフする機能を有している。また、エンベデッドコントローラ／キーボードコントローラＩＣ（ＥＣ／ＫＢＣ）１２４は、ＴＶ起動ボタン１５Ａが操作された時は、ＴＶ視聴に関するユニット（ＴＶチューナ・キャプチャユニット１２３、ビデオコントロールマイコン１２５、高画質化エンジン１１５、ＬＣＤ１７等）のみをパワーオンする。
【００２８】
ビデオコントロールマイコン１２５は、ＣＰＵ１１１とは独立して動作可能なマイクロコンピュータである。ビデオコントロールマイコン１２５は、Ｉ２Ｃバスを介してコマンドをＴＶチューナ・キャプチャユニット１２３に送信することにより、ＴＶチューナ・キャプチャユニット１２３の動作を制御する。
【００２９】
なお、エンベデッドコントローラ／キーボードコントローラＩＣ（ＥＣ／ＫＢＣ）１２４にビデオコントロールマイコン１２５の機能を設けてもよい。
【００３０】
次に、図３を参照して、ＴＶチューナ・キャプチャユニット１２３の構成を説明する。
【００３１】
ＴＶチューナ・キャプチャユニット１２３は、バスコネクタ３０およびＰＣＩバス２０を介して、本コンピュータ１０のシステムロジック１００に接続されている。システムロジック１００は、ＴＶチューナ・キャプチャユニット１２３のホストシステムとして機能する。このシステムロジック１００は、図２のＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、およびエンベデッドコントローラ／キーボードコントローラＩＣ（ＥＣ／ＫＢＣ）１２４などを含む。
【００３２】
ＴＶチューナ・キャプチャユニット１２３は、受信ユニット２０１、ＭＰＥＧ２エンコーダ２０２、バスインタフェースユニット２０３、シンクロナスＤＲＡＭ（ＳＤＲＡＭ）２０４、クロック発生器２０５、バススイッチ（ＢＵＳ  ＳＷ）２０６、Ｑスイッチ（Ｑ−ＳＷ）２０７、電源制御回路２０８、第１の電源回路２０９、および第２の電源回路２１０を備えている。
【００３３】
受信ユニット２０１は、第２の電源回路２１０から出力される第２の電源＃２によって駆動される。第２の電源回路２１０は、システムロジック１００内の電源装置から供給されるシステム電源から第２の電源＃２を生成する。また、ＭＰＥＧ２エンコーダ２０２、バスインタフェースユニット２０３、シンクロナスＤＲＡＭ（ＳＤＲＡＭ）２０４、およびクロック発生器２０５は、第１の電源回路２０９から出力される第１の電源＃１によって駆動される。第１の電源回路２０９は、システム電源から第１の電源＃１を生成する。
【００３４】
受信ユニット２０１は、ＣＰＵ１１１またはビデオコントロールマイコン１２５からのコマンドに応じて、映像データを受信する処理を実行する。この受信ユニット２０１は、全世界対応のＴＶチューナユニットとして実現されている。受信ユニット２０１は、複数種のＴＶ放送システム（例えば、ＮＴＳＣ−Ｍ／Ｍ、ＰＡＬ−／Ｉ、ＰＡＬ−Ｂ／Ｇ、ＳＥＣＡＭ−Ｌ／Ｌ’、ＰＡＬ−Ｄ／Ｄなど）をサポートしている。また、受信ユニット２０１は、受信した映像データ（ＴＶ放送信号、外部機器からのビデオデータなど）を高画質化するための映像信号処理、例えば、ゴーストリダクション処理、輝度（Ｙ）／色（Ｃ）分離処理、ノイズリダクション処理を実行する機能を有している。実行すべき映像信号処理の内容は、受信した映像データのＴＶ放送方式の種類に応じて決定される。これにより、受信した映像データのＴＶ放送方式の種類に最適な映像信号処理が実行される。
【００３５】
受信ユニット２０１は、ＴＶチューナモジュール３０１、ゴーストリジューサ３０２、ビデオデコーダ３０３、３つのローパスフィルタ（ＡＶ−ＣＶＢＳフィルタ，ＡＶ−ＳＶｉｄｅｏフィルタ，ＡＶ−Ｓｃｈｒｏｍａフィルタ）３０４，３０５，３０６、およびサウンドデコーダ３０７を備えている。ＴＶチューナモジュール３０１、ゴーストリジューサ３０２、ビデオデコーダ３０３、およびサウンドデコーダ３０５は、それぞれシリアルバス（Ｉ２Ｃバス）３００に接続されている。
【００３６】
ＴＶチューナモジュール３０１は、映像データおよびオーディオデータを搬送するＴＶ放送信号を受信するようにＴＶアンテナコネクタ１９に接続されている。ＴＶチューナモジュール３０１は、上述の複数種のＴＶ放送システムそれぞれに対応する様々なＴＶ放送信号周波数に同調できるように構成されている。ＴＶチューナモジュール３０１は、受信したＴＶ放送信号を復調して、例えばコンポジット信号（ＴＶ−ＣＶＢＳ）形式の映像データ、および例えば２ｎｄ  ＳＩＦ形式のオーディオデータを生成する。映像データはゴーストリジューサ３０２を介してビデオデコーダ３０３にＴＶ入力として送られると共に、ビデオデコーダ３０３に直接的にＴＶ入力として送られる。
【００３７】
ゴーストリジューサ３０２は、ＴＶチューナモジュール３０１からの映像データのゴーストを低減するためのゴーストリダクション処理を実行する回路である。このゴーストリダクション処理は、映像データの垂直帰線期間ＶＢＩ（Vertical Blanking Interval）に含まれるゴースト除去基準信号ＧＣＲ（GCR :Ghost cancel referecce）を用いて実行される。ゴーストリジューサ３０２は、ゴースト除去フィルタを内蔵している。ゴーストリジューサ３０２は、映像データ中のＧＣＲを検出し、そしてそのＧＣＲのひずみに応じて、ゴースト除去フィルタのタップ係数を制御する。ＴＶ放送信号にＧＣＲが重畳されるＴＶ放送方式は、日本方式のＮＴＳＣのみである。よって、ゴーストリダクション処理は、日本方式のＮＴＳＣ信号が受信された場合にのみ有効に機能することができる。ゴーストリダクション処理を実行するか否かは、ＴＶチューナ・キャプチャドライバによって制御される。
【００３８】
すなわち、ゴーストリジューサ３０２は、映像データの垂直帰線期間ＶＢＩにゴースト除去基準信号ＧＣＲが存在するか否かを検出し、その検出結果を示す情報をゴーストリジューサ３０２内のレジスタにセットする。ＴＶチューナ・キャプチャドライバは、ＭＰＥＧ２エンコーダ２０２を介してゴーストリジューサ３０２内のレジスタをリードすることによって、ＧＣＲが存在するか否かを判別する。ＧＣＲが存在するならば、ＴＶチューナ・キャプチャドライバは、ゴーストリダクション処理の実行をＭＰＥＧ２エンコーダ２０２を介してゴーストリジューサ３０２に指示すると共に、ビデオデコーダ３０３にゴーストリジューサ３０２からの映像データを選択させる。一方、ＧＣＲが存在しないならば、ＴＶチューナ・キャプチャドライバは、ゴーストリダクション処理の実行を禁止する。具体的には、ＴＶチューナ・キャプチャドライバは、ビデオデコーダ３０３にＴＶチューナモジュール３０１からの映像データを選択させるとともに、ゴーストリジューサ３０２のクロック周波数を下げてゴーストリジューサ３０２を省電力モードに設定する。
【００３９】
ビデオデコーダ３０３は、ゴーストリジューサ３０２からの映像データ（デジタルＣＶＶＳ）を入力するＴＶ入力ポートと、ＴＶチューナモジュール３０１からの映像データ（ＴＶ−ＣＶＢＳ）を直接的に入力するＴＶ入力ポートとを有している。また、ビデオデコーダ３０３は、ＡＶコネクタセット１８から入力されるコンポジットビデオデータＣＶＢＳ、Ｓ−ビデオデータ（Ｙ）、およびＳ−クロマデータ（Ｃ）をＡＶ−ＣＶＢＳフィルタ３０４、ＡＶ−ＳＶｉｄｅｏフィルタ３０５、およびＡＶ−Ｓｃｈｒｏｍａフィルタ３０６を介してそれぞれ入力する３つのビデオ入力ポートも有している。
【００４０】
ビデオデコーダ３０３は、入力した映像データをデコードするための映像信号処理（Ｙ／Ｃ分離処理、ノイズリダクション処理、等）を実行して、例えばＩＴＵ−６５６形式のデジタル映像データを生成する。ＩＴＵ−６５６形式のデジタル映像データは、Ｑスイッチ２０７を介してＭＰＥＧ２エンコーダ２０２に入力される。また、ＩＴＵ−６５６形式のデジタル映像データは、バスコネクタ３０を介してデータバッファ（ＳＹＳ  ＢＵＦ）１２６に非圧縮のＲＡＷビデオデータとして送出される。バスコネクタ３０はＰＣＩバス２０との接続に未使用の複数のピンを有しており、これら未使用のピン群の内の幾つかがデジタル映像データをデータバッファ（ＳＹＳ  ＢＵＦ）１２６に送出するための映像データパス２１として用いられる。
【００４１】
Ｙ／Ｃ分離処理、およびデジタルノイズリダクション処理は、ゴーストリダクション処理と同様に、映像データを高画質化するための処理である。Ｙ／Ｃ分離処理は、コンポジット信号（ＣＶＢＳ形式の映像データ）をＹ（輝度）信号とＣ（クロマ）信号とに分離する処理である。ビデオデコーダ３０３は、以下の３種類のＹ／Ｃ分離処理を選択的に実行することが出来る。
【００４２】
３次元Ｙ／Ｃ分離処理
２次元（５ライン）Ｙ／Ｃ分離処理
１次元（バンドパスフィルタＢＰＳ）Ｙ／Ｃ分離処理
本実施形態では、入力した映像データのＴＶ放送方式の種類および入力ソース（ＴＶ入力、ＣＶＢＳビデオ入力、Ｓビデオ入力）の種類に最適なＹ／Ｃ分離処理がビデオデコーダ３０３によって実行される。これにより、入力した映像データを高画質で再生および記録することが出来る。ＴＶ放送方式の識別は、公知の技術を用いて行うことが出来る（例えば、特開平６−３３５００５号公報）。
【００４３】
またビデオデコーダ３０３は、以下の２種類のノイズリダクション処理を実行することができる。
【００４４】
３次元ノイズリダクション処理
色歪み補正処理
本実施形態では、入力した映像データのＴＶ放送方式の種類および入力ソース（ＴＶ入力、ＣＶＢＳビデオ入力、Ｓビデオ入力）の種類に最適なノイズリダクション処理がビデオデコーダ３０３によって実行される。これにより、入力した映像データを高画質で再生および記録することが出来る。
【００４５】
実行すべきＹ／Ｃ分離処理およびノイズリダクション処理の内容は、ＴＶチューナ・キャプチャドライバによって制御される。
【００４６】
すなわち、ビデオデコーダ３０３は、受信した映像データの種類および入力ソース（ＴＶ入力、ＣＶＢＳビデオ入力、Ｓビデオ入力）の種類を検出し、その検出結果を示す情報をビデオデコーダ３０３内のレジスタにセットする。ＴＶチューナ・キャプチャドライバは、ＭＰＥＧ２エンコーダ２０２を介してビデオデコーダ３０３内のレジスタをリードすることによって、受信した映像データの種類および入力ソース（ＴＶ入力、ＣＶＢＳビデオ入力、Ｓビデオ入力）の種類を判別する。そして、ＴＶチューナ・キャプチャドライバは、その判別結果に従って、実行すべきＹ／Ｃ分離処理およびノイズリダクション処理をＭＰＥＧ２エンコーダ２０２を介してビデオデコーダ３０３に指示する。
【００４７】
サウンドデコーダ３０７は、ＴＶチューナモジュール３０１またはＡＶコネクタセット１８から入力されるオーディオデータをデコードして、例えばＩ２Ｓ形式のデジタルオーディオデータを生成する。このＩ２Ｓ形式のデジタルオーディオデータも、Ｑスイッチ２０７を介してＭＰＥＧ２エンコーダ２０２に入力されるとともに、バスコネクタ３０を介してデータバッファ（ＳＹＳ  ＢＵＦ）１２６に非圧縮のＲＡＷオーディオデータとして送出される。
【００４８】
ＭＰＥＧ２エンコーダ２０２は、ＰＣＩデバイスである。ＭＰＥＧ２エンコーダ２０２は、ＩＴＵ−６５６形式のデジタル映像データおよびＩ２Ｓ形式のデジタルオーディオデータをそれぞれ圧縮符号化して、圧縮符号化されたＡＶストリームを生成する。この圧縮符号化処理はＳＤＲＡＭ２０４上で実行される。圧縮符号化されたＡＶストリームは、バスインターフェースユニット２０３、バスコネクタ３０、およびＰＣＩバス２０を介してシステムロジック１００に送られる。
【００４９】
ＭＰＥＧ２エンコーダ２０２には、バスインタフェースユニット２０３が備けられている。バスインタフェースユニット２０３は、バスコネクタ３０を介してＰＣＩバス２０に接続されており、ＰＣＩバス２０を介してシステムロジック１００との通信を実行する。このバスインターフェースユニット２０３には、ＣＰＵ１１１によってアクセス可能な複数のレジスタが設けられている。
【００５０】
電源制御回路２０８は、２つの電源制御信号（電源＃１＿ＣＯＮＴ、電源＃２＿ＣＯＮＴ）によって第１の電源＃１および第２の電源＃２の供給をそれぞれ制御する。また、電源制御回路２０８は、３つの制御信号（ＣＯＮＴ１−３）によってバススイッチ（ＢＵＳ  ＳＷ）１２７、バススイッチ（ＢＵＳ  ＳＷ）２０６、Ｑスイッチ（Ｑ−ＳＷ）２０７を制御すると共に、バッファイネーブル信号（ＳＹＳＢＵＦ−ＥＮ）によってデータバッファ（ＳＹＳ  ＢＵＦ）１２６を制御する。
【００５１】
バススイッチ（ＢＵＳ  ＳＷ）２０６は、受信ユニット２０１とＭＰＥＧ２エンコーダ２０２（インターフェースユニット２０３を含む）との間を接続／分離するためのスイッチである。バススイッチ（ＢＵＳ  ＳＷ）２０６がオンされている場合、受信ユニット２０１内の各モジュールは、ＰＣＩバス２０を介して供給されるＣＰＵ１１１からのコマンドを受信することが出来る。各モジュールはそのコマンドによって動作制御される。一方、バススイッチ（ＢＵＳ  ＳＷ）２０６がオフの場合、受信ユニット２０１は、ＰＣＩデバイスであるＭＰＥＧ２エンコーダ２０２から切り離される。
【００５２】
バススイッチ（ＢＵＳ  ＳＷ）１２７がオンの場合、受信ユニット２０１内の各モジュールは、システム側のＩ２Ｃバスに電気的に接続される。これにより、受信ユニット２０１内の各モジュールは、システム側のＩ２Ｃバスを介して供給されるビデオコントロールマイコン１２５からのコマンドを受信することができる。各モジュールはそのコマンドによって動作制御される。
【００５３】
ＴＶチューナ・キャプチャユニット１２３は、以下の３つの動作モードで動作することが出来る。
【００５４】
１）ノーマルモード
ノーマルモードは、圧縮符号化されたＡＶデータをＰＣＩバス２０上に出力するモードである。データバッファ（ＳＹＳ  ＢＵＦ）１２６はオフされる。これにより、ＲＡＷビデオデータおよびＲＡＷオーディオデータはシステム側には送出されない。ＴＶアプリケーションプログラムは、圧縮符号化されたＡＶデータをデコードする。デコードされた映像データは、グラフィクスコントローラ１１４によってＬＣＤ１７に表示される。また、ＴＶアプリケーションプログラムは、圧縮符号化されたＡＶデータをＨＤＤ１２１に記録することもできる。
【００５５】
２）高画質表示モード
高画質表示モードは、ＲＡＷビデオデータおよびＲＡＷオーディオデータを映像データ伝送パス２１を介してシステム側に伝送するモードである。高画質化モードにおいては、データバッファ（ＳＹＳ  ＢＵＦ）１２６はオンされる。ＲＡＷビデオデータは、映像データ伝送パス２１を介して高画質化エンジン１１５に送られる。高画質化エンジン１１５は、ＲＡＷビデオデータの画質を補正した後、そのＲＡＷビデオデータに対応する動画像をＬＣＤ１７に表示する。またＭＰＥＧ２エンコーダ２０２によって圧縮符号化されたＡＶデータもＰＣＩバス２０上に出力される。よって、ＴＶ放送番組などを高画質でＬＣＤ１７に表示しながら、そのＴＶ放送番組の圧縮符号化データをＨＤＤ１２１に記録することができる。
【００５６】
３）ＴＶ機能高速起動モード
ＴＶ機能高速起動モードは、オペレーティングシステムを起動せずに、ＴＶチューナ・キャプチャユニット１２３によって受信されたＡＶデータを再生するモードである。ＴＶ機能高速起動モードにおいては、システムロジック１００がパワーオフされている。受信ユニット２０１の制御は、ビデオコントロールマイコン１２５によって行われる。また、ＰＣＩバス２０に接続されているＭＰＥＧ２エンコーダ２０２（インターフェースユニット２０３を含む）もパワーオフされる。ＡＶデータの伝送は高画質表示モードと同様に行われる。すなわち、ＲＡＷビデオデータおよびＲＡＷオーディオデータは映像データ伝送パス２１を介してシステム側に伝送される。データバッファ（ＳＹＳ  ＢＵＦ）１２６はオンされる。ＲＡＷビデオデータは、映像データ伝送パス２１を介して高画質化エンジン１１５に送られる。高画質化エンジン１１５は、ＲＡＷビデオデータの画質を補正した後、そのＲＡＷビデオデータに対応する動画像をＬＣＤ１７に表示する。なお、バスインタフェースユニット２０３をＭＰＥＧ２エンコーダ２０２とは独立したデバイスとして実現してもよい。この場合、バスインターフェースユニット２０３のみがＰＣＩデバイスとして機能する。
【００５７】
次に、図４のフローチャートを参照して、高画質表示処理の手順について説明する。
【００５８】
ＴＶチューナ・キャプチャドライバは、ＰＣＩバス２０を介してバスインターフェースユニット２０３のレジスタに高画質表示モードを指示するコマンドをセットする（ステップＳ１０１）。バスインターフェースユニット２０３は、高画質表示モード信号（Ｈ−Ｍｏｄｅ）を電源制御回路２０８に送信する。電源制御回路２０８は、高画質表示モード信号（Ｈ−Ｍｏｄｅ）に応答して、バッファイネーブル信号（ＳＹＳＢＵＦ−ＥＮ）をアクティブにする（ステップＳ１０２）。これにより、データバッファ（ＳＹＳ  ＢＵＦ）１２６がオンされる。
【００５９】
受信ユニット２０１は、ＴＶチューナ・キャプチャドライバによって要求されたソースからＡＶデータを受信する。そして、ＲＡＷビデオデータおよびＲＡＷオーディオデータがデータバッファ（ＳＹＳ  ＢＵＦ）１２６を介してシステム側に伝送される（ステップＳ１０３）。また、スイッチ制御信号ＳＷによって高画質化エンジン（ＨＶＥ）１１５が選択され、高画質化エンジン（ＨＶＥ）１１５によって生成される映像信号がＬＣＤ１７に送出される（ステップＳ１０４）。
【００６０】
次に、図５のフローチャートを参照して、ＴＶ機能高速起動処理の手順を説明する。
【００６１】
まず、ビデオコントロールマイコン１２５は、ＴＶ機能高速起動モードを示す信号（Ｓ  Ｐａｔｈ  Ｍｏｄｅ  Ｓｉｇｎａｌ）をバスコネクタ３０を介してＴＶチューナ・キャプチャユニット１２３に送信する（ステップＳ２０１）。電源制御回路２０８は、Ｓ  Ｐａｔｈ  Ｍｏｄｅ  Ｓｉｇｎａｌに応答して、第１の電源＃１をオフし、第２の電源＃２をオンする（ステップＳ２０２）。次いで、電源制御回路２０８は、バススイッチ（ＢＵＳ  ＳＷ）１２７をオン、バススイッチ（ＢＵＳ  ＳＷ）２０６をオフ、データバッファ（ＳＹＳ  ＢＵＦ）１２６をオン、Ｑスイッチ（Ｑ−ＳＷ）２０７をオフする（ステップＳ２０３）。そして、ビデオコントロールマイコン１２５は、Ｉ２Ｃバスを介して受信ユニット２０１内の各モジュールを初期化する（ステップＳ２０４）。受信ユニット２０１は、ビデオコントロールマイコン１２５によって要求されたソースからＡＶデータを受信する。そして、ＲＡＷビデオデータおよびＲＡＷオーディオデータがデータバッファ（ＳＹＳ  ＢＵＦ）１２６を介してシステム側に伝送される（ステップＳ２０５）。また、スイッチ制御信号ＳＷによって高画質化エンジン（ＨＶＥ）１１５が選択され、高画質化エンジン（ＨＶＥ）１１５によって生成される映像信号がＬＣＤ１７に送出される（ステップＳ２０６）。
【００６２】
図６には、映像データのＴＶ放送方式の種類および入力ソース（ＴＶ入力、ＣＶＢＳビデオ入力、Ｓビデオ入力）の種類と映像信号処理（ゴーストリダクション処理、Ｙ／Ｃ分離処理、ノイズリダクション処理）との関係が示されている。
【００６３】
（１）ゴーストリダクション処理
ゴーストリダクション処理は、受信された映像データのＴＶ放送方式（カラーシステム）がＮＴＳＣ（ｊａｐａｎｅｓｅ）であり、且つ映像データの入力ソースがＴＶ入力（ＴＶ  ｉｎ）である場合にのみ実行される。
【００６４】
（２）Ｙ／Ｃ分離処理
３次元Ｙ／Ｃ分離処理は以下の場合に実行される。
【００６５】
・受信された映像データのＴＶ放送方式（カラーシステム）がＮＴＳＣ（ｊａｐａｎｅｓｅ）であり、且つ映像データの入力ソースがＴＶ入力（ＴＶ  ｉｎ）である場合
・受信された映像データのＴＶ放送方式（カラーシステム）がＮＴＳＣ（ｊａｐａｎｅｓｅ）であり、且つ映像データの入力ソースがコンポジットビデオ入力(ＣＶＢＳ  ｉｎ）である場合
・受信された映像データのＴＶ放送方式（カラーシステム）が日本方式以外のＮＴＳＣであり、且つ映像データの入力ソースがＴＶ入力（ＴＶ  ｉｎ）である場合
・受信された映像データのＴＶ放送方式（カラーシステム）が日本方式以外のＮＴＳＣであり、且つ映像データの入力ソースがコンポジットビデオ入力(ＣＶＢＳ  ｉｎ）である場合
２次元（５ライン）Ｙ／Ｃ分離処理は以下の場合に実行される。
【００６６】
・受信された映像データのＴＶ放送方式（カラーシステム）がＰＡＬであり、且つ映像データの入力ソースがＴＶ入力（ＴＶ  ｉｎ）である場合
・受信された映像データのＴＶ放送方式（カラーシステム）がＰＡＬであり、且つ映像データの入力ソースがコンポジットビデオ入力(ＣＶＢＳ  ｉｎ）である場合
１次元Ｙ／Ｃ分離処理は以下の場合に実行される。
【００６７】
・受信された映像データのＴＶ放送方式（カラーシステム）がＳＥＣＡＭであり、且つ映像データの入力ソースがＴＶ入力（ＴＶ  ｉｎ）である場合
・受信された映像データのＴＶ放送方式（カラーシステム）がＳＥＣＡＭであり、且つ映像データの入力ソースがコンポジットビデオ入力(ＣＶＢＳ  ｉｎ）である場合
（３）ノイズリダクション処理
３次元ノイズリダクション処理は以下の場合に実行される。
【００６８】
・受信された映像データのＴＶ放送方式（カラーシステム）がＮＴＳＣ（ｊａｐａｎｅｓｅ）であり、且つ映像データの入力ソースがＳビデオ入力（Ｓ  ｉｎ）である場合
・受信された映像データのＴＶ放送方式（カラーシステム）が日本方式以外のＮＴＳＣであり、且つ映像データの入力ソースがＳビデオ入力（Ｓ  ｉｎ）である場合
色歪み補正処理は以下の場合に実行される
・受信された映像データのＴＶ放送方式（カラーシステム）がＳＥＣＡＭであり、且つ映像データの入力ソースがＳビデオ入力（Ｓ  ｉｎ）である場合
次に、図７のフローチャートを参照して、実行すべき映像信号処理を受信ユニット２０１に対して設定するための処理手順について説明する。
【００６９】
ＴＶチューナ・キャプチャユニット１２３はそのパワーオンに応答して映像データの受信を開始する。受信ユニット２０１は、受信された映像データの放送方式の種類、ＧＣＲの有無、入力ソースの種類を検出する（ステップＳ２１１）。このステップＳ２１１では、ゴーストリジューサ３０２によってＧＣＲの有無が検出され、その検出結果を示すＧＣＲ検出結果情報はゴーストリジューサ３０２内のレジスタに格納される。放送方式の種類および入力ソースの種類はビデオデコーダ３０３によって検出され、その検出結果を示すカラーシステム／入力ソース検出結果情報はビデオデコーダ３０３内のレジスタに格納される。
【００７０】
ＴＶチューナ・キャプチャドライバは、バスインタフェース２０３、ＭＰＥＧ２エンコーダ２０２、Ｉ２Ｃバス３００を介して、ゴーストリジューサ３０２内のレジスタおよびビデオデコーダ３０３内のレジスタをリードし、ＧＣＲ検出結果情報、カラーシステム／入力ソース検出結果情報を取得する（ステップＳ２１２）。次いで、ＴＶチューナ・キャプチャドライバは、取得したＧＣＲ検出結果情報、およびカラーシステム／入力ソース検出結果情報に基づいて、最適な映像信号処理を選択する（ステップＳ２１３）。次いで、ＴＶチューナ・キャプチャドライバは、選択した最適な映像信号処理の内容（ゴーストリダクション処理の実行の有無、Ｙ／Ｃ分離種の種類、ノイズリダクション処理の種類）を示すパラメタ群をバスインタフェース２０３、Ｉ２Ｃバス３００を介して、ゴーストリジューサ３０２内およびビデオデコーダ３０３内のレジスタにそれぞれ設定される（ステップＳ２１４）。
【００７１】
以上のように、本実施形態においては、受信された映像データの放送方式の種類および入力ソースの種類が検出され、その検出結果に応じて、受信された映像データに最適な映像信号処理が選択される。よって、複数種の放送方式それぞれに対応する映像データを十分に高画質で表示することができる。
【００７２】
また、本実施形態では、システム側で実行されるソフトウェア（ＴＶチューナ・キャプチャドライバ）によって、実行すべき映像信号処理の内容（ゴーストリダクション処理の実行の有無、Ｙ／Ｃ分離種の種類、ノイズリダクション処理の種類）がＴＶチューナ・キャプチャユニット１２３に設定される。このため、ＴＶチューナ・キャプチャユニット１２３内に専用のマイコンなどを設ける必要が無くなり、ＴＶチューナ・キャプチャユニット１２３の部品点数の低減およびコストの低減を図ることが出来る。
【００７３】
もちろん、ＴＶチューナ・キャプチャユニット１２３内に専用のマイコンを設け、その専用のマイコンが、実行すべき映像信号処理の内容を決定するようにしてもよい。
【００７４】
また、上述の“ＴＶ機能高速起動モード”においては、実行すべき映像信号処理を受信ユニット２０１に対して設定する処理は、ビデオコントロールマイコン１２５を用いて実行することが出来る。この場合、ビデオコントロールマイコン１２５はＩ２Ｃバスを介して受信ユニット２０１との通信を実行する。
【００７５】
なお、本実施形態のシステム構成は、パーソナルコンピュータに限らず、例えば、ゲーム機、ＡＶ機器のような電子機器にも適用することができる。
【００７６】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７７】
【図１】本発明の一実施形態に係るコンピュータの外観を示す斜視図。
【図２】図１のコンピュータのシステム構成を示すブロック図。
【図３】図１のコンピュータに設けられた受信装置の構成を示すブロック図。
【図４】図１のコンピュータによって実行される高画質表示処理の手順の例を説明するフローチャート。
【図５】図１のコンピュータによって実行されるＴＶ機能高速起動処理の手順の例を示すフローチャート。
【図６】図１のコンピュータに設けられた受信装置によって実行される映像信号処理と映像データのＴＶ放送方式／入力ソースとの関係を示す図。
【図７】図１のコンピュータに設けられた受信装置に対して実行すべき映像信号処理を設定する処理の手順を示すフローチャート。
【符号の説明】
【００７８】
１０…コンピュータ、１７…ＬＣＤ、２０…ＰＣＩバス、２１…映像データ伝送パス、１１１…ＣＰＵ、１２３…ＴＶチューナ・キャプチャユニット、１２５…ビデオコントロールマイコン、２０１…受信ユニット、２０２…ＭＰＥＧ２エンコーダ、２０３…バスインタフェースユニット、３０１…ＴＶチューナモジュール、３０２…ゴーストリジューサ、３０３…ビデオデコーダ、３０７…サウンドデコーダ。
【図１】
2006033739.tif 000003
【図２】
2006033739.tif 000004
【図３】
2006033739.tif 000005
【図４】
2006033739.tif 000006
【図５】
2006033739.tif 000007
【図６】
2006033739.tif 000008
【図７】
2006033739.tif 000009